(57)【要約】      （修正有）【課題】夜間等の災害時においても、容易に防犯補助具のロックを解除可能にした防犯補助具におけるキー操作のガイド装置を提供する。【解決手段】開口部分を開閉する開閉部材を閉じ位置に保持するために、それらに取り付ける防犯補助具１０と、防犯補助具に設けられたキー穴に差し込むキー１５とを具備し、防犯補助具は外部に露出するキー穴構成部材１４を有し、また、キーは摘み部１６を有しており、キー穴構成部材とキーの摘み部とは蓄光性素材を用いて形成されている。【選択図】図１
0003190543.tif 000002
【実用新案登録請求の範囲】
【請求項１】
開口部分を開閉する開閉部材を閉じ位置に保持するためにそれらに取り付ける防犯補助具と、上記防犯補助具に設けられたキー穴に差し込むキーとを具備し、
防犯補助具は外部に露出するキー穴構成部材を有し、また、キーは摘み部を有しており、
上記キー穴構成部材とキーの摘み部とは蓄光性素材を用いて形成されている
防犯補助具におけるキー操作のガイド装置。
【請求項２】
キー穴構成部材とキーの摘み部とは蓄光物質を混合したプラスチック成形品から成り、蓄光性素材のプラスチック材料に対する割合が質量比で３〜３５％の範囲にある
請求項１記載の防犯補助具におけるキー操作のガイド装置。
【請求項３】
防犯補助具は補助具本体の正面にキー穴を有する、一方、補助具本体の背面にアダプターを有しており、アダプターは引き戸式又は開き戸式の開閉部材に適合した少なくとも２種類から成り、その２種類を開閉部材に応じて交換可能に構成されている
請求項１又は２記載の防犯補助具におけるキー操作のガイド装置。
【請求項４】
キーはその摘み部に磁石を有する、一方、上記磁石と磁気吸着することによりキーを保持する磁性材から成る保持片と組み合わされ、上記保持片は開閉部材又は開閉部分の近傍の奥内側に固定可能な接着手段を有している
請求項１記載の防犯補助具におけるキー操作のガイド装置。
【考案の詳細な説明】
【技術分野】
【０００１】
この考案は、引き戸や開き戸（ドア）等に用いる防犯補助具におけるキー操作のガイド装置に関するものである。
【背景技術】
【０００２】
家屋の出入り口や窓などの開口部分には、その部分の開閉のために引き戸や開き戸等の開閉部材が設けられ、かつ、開閉部材には一般的にロック機構が設けられている。防犯対策を特に念入りに行ないたい場合には、後付けの防犯補助具もあわせて用いられる。
【０００３】
上記のような防犯補助具では、ロック機構の施錠、解錠を操作する部材の構成に差がある。操作部材が防犯補助具に一体に取り付けられているものもあるが、それが不正に操作されれば簡単に開いてしまうのは当然のことである。そこで、差し込み式のキーを用いるものが提供された（本出願人の実用新案登録第３１０７９１５号）。
【０００４】
キーを取り外して保管することは防犯上有効であるが、保管したキーの在りかが分からなければドア等を開けることができない。特に、夜間に災害が発生し停電になった場合、キーを探し出すのに手間取れば危険性も高まると考えられる。しかし、この問題を解決する方法は提案されていない。
【０００５】
【特許文献１】実用新案登録第３１０７９１５９号
【考案の開示】
【考案が解決しようとする課題】
【０００６】
本考案は前記の実情に鑑みてなされたもので、その課題は、夜間の災害時等、暗所での解錠操作が必要な場合においても容易に防犯補助具のロックを解除可能することである。また、本考案の他の課題は、防犯効果と防災効果を兼ね備えた防犯補助具におけるキー操作のガイド装置を提供することである。また、本考案は年少者から高齢者まで容易に取り扱うことができ、避難を容易にし、安全性を向上するものである。
【課題を解決するための手段】
【０００７】
前記の課題を解決するため、本考案は、開口部分を開閉する開閉部材を閉じ位置に保持するためにそれらに取り付ける防犯補助具と、上記防犯補助具に設けられたキー穴に差し込むキーとを具備し、防犯補助具は外部に露出するキー穴構成部材を有し、また、キーは摘み部を有しており、上記キー穴構成部材とキーの摘み部とは蓄光性素材を用いて形成するという手段を講じたものである。
【０００８】
本考案に用いる防犯補助具は、開口部分を開閉する開閉部材を閉じ位置に保持するために開口部分と開閉部材にわたって取り付けられる。この点、前記特許文献１の開き止め装置と共通で良い。上記の開口部分は窓枠やドア枠等のことで、また、開閉部材は引き戸式の窓や戸、或いは開き戸式のドア等を意味する。
【０００９】
防犯補助具は補助具本体に設けられたキー穴とそこに差し込むキーから成っている。補助具本体は外部に露出するキー穴の構成部材を有し、また、キーは摘み部を有しており、上記キー穴構成部材とキーの摘み部とが蓄光性素材を用いて形成される。
【００１０】
キー穴構成部材とキーの摘み部とが蓄光性素材を用いて形成されるということは、暗所での残光でキー穴構成部材とキーの摘み部とのありか（在り処）が明確になるということである。蓄光性素材は、広義においては、塗料に混合されていても良いし、成形樹脂に分散されていても良い。
【００１１】
このような構成により、キー等のありか（在り処）が蓄光性素材により明確になる。防犯補助具を取り付けている窓枠やドア枠等の近くにキーを置いておくことで、いざというときでも残光があり、探す手間を省くことができる。他方、防犯補助具の近くにキーがあっても、それは室内にあるから外部から悟られることはない。
【００１２】
キーはその摘み部に磁石を有し、上記磁石と磁気吸着することによりキーを保持する磁性材から成る保持片と組み合わされ、保持片は開閉部材又は開閉部分の近傍の奥内側に固定可能な接着手段を有しているという構成を取ることができる。キーを接着手段により固定するので、置く場所を選ばないという利点がある。
【００１３】
蓄光については、キー穴構成部材とキーの摘み部とが蓄光物質を混合したプラスチック成形品から成り、蓄光性素材のプラスチック材料に対する割合が質量比で３〜３５％の範囲にあるという構成を取ることができる。３％未満では蓄光物質の残光効果が十分に発揮されないのに対して、３５％を超えると成型の困難性が増すためである。
【００１４】
蓄光には蓄光物質として知られる硫化亜鉛系素材、アルミン酸ストロンチウム等が適している。前記配合割合は、これらの蓄光物質を使用する場合の数値である。なお、自発光性物質であるラジウム化合物、プロメチウム化合物もかつては使用することができたが、現在は放射線の害により用いられない。
【考案の効果】
【００１５】
本考案は以上のように構成され、かつ、作用するものであるから、夜間の災害時、暗所での解錠操作が必要な場合においても防犯補助具のロックを容易に解除可能することができるという効果を奏する。また、本考案によれば、防犯効果と防災効果を兼ね備えた防犯補助具におけるキー操作のガイド装置を提供することができる。従って、本考案の防犯補助具におけるキー操作のガイド装置は年少者から高齢者まで容易に取り扱うことができ、避難を容易にし、安全性を向上することができる。
【考案を実施するための最良の形態】
【００１６】
以下、図示の実施形態を参照して本考案をより詳細に説明する。図１は本考案に係るキー操作のガイド装置を適用した防犯補助具１０を示したものである。防犯補助具１０は、引き戸や開き戸（ドア）等の開口部分を開閉する開閉部材１１を閉じ位置に保持するためにそれらに取り付けられる。
【００１７】
図１は上記防犯補助具１０の構成要素のほぼ全体を例示している。防犯補助具１０それ自体は補助具本体１１の左右両側に突出及び没入可能なロック片１２、１３を有し（図２参照）、ロック片１２、１３は、キー１５により出没の操作がなされる。補助具本体１１は外部に露出するキー穴構成部材１４を本体正面に有しており、そのキー穴１４ａにキー１５の契合部１５ａが挿し込まれる。
【００１８】
キー１５は契合部１５ａを設けたキー軸の他端に摘み部１６を有しており、摘み部１６には磁石１７が設けられている。磁石１７は開閉部材又は開閉部分の近傍にキー１５を保持させるために設けてあり、磁気吸着相手として磁性材から成る保持片１８が用意されている。キー穴構成部材１４とキー１５の摘み部とは蓄光物質を混合したプラスチック成形品から成り、例１では蓄光性素材のプラスチック材料に対する割合が質量比で１０％に設定されている。
【００１９】
図示のロック片１２、１３は１個のロック部材２０の左右に突出した部分であり、補助具本体１１の左右に開けられた開口１９、２１から出没可能に設けられている（図２）。ロック部材２０は中央に大径の係合孔２２を有しており、係合孔２２には揺動部材２３の契合軸２３ａが係合し、係合軸２３ａは係合孔２２の直径を超える範囲に亘って揺動することでロック片１２、１３の出没を可能にしている。
【００２０】
２４は位置決めばねを示しており、その一端は補助具本体１１に掛け止められ、他端は揺動部材２３の端部に掛け止められている。揺動部材２３の揺動中心は前記キー穴１４ａと一致しており、揺動部材２３の一端部に位置決めばね２４が掛けられており、他端部に係合軸２３ａが係合している。外部に露出するキー穴構成部材１４は、図に示した実施形態では、プラスチック成形により揺動部材２３と一体に設けられている。
【００２１】
このように構成された防犯補助具１０は補助具本体１１の正面にキー穴１４ａを有し、補助具本体１１の背面にはアダプターを有している。アダプターは引き戸式又は開き戸式の開閉部材に適合した少なくとも２種類２５−１、２５−２から成り、その２種類を開閉部材に応じて交換可能になっている（図１参照）。図中、アダプター２５−１は開き戸Ｄのドア（図３等参照）に適合するもので、アダプター２５−２は引き戸Ｓ（図５等参照）に適合するものである。
【００２２】
開き戸に用いるアダプター２５−１は、補助具本体１１の背面に一体に固着される。固着のため、背面には接着手段Ｇとともにネジ２６で止めのためのネジ穴２７が四隅に設けられている。アダプター２５−１により、係合部材２８が本体背面との間に挟まれた状態で補助具本体１１の背面に一体に固着される。
【００２３】
係合部材２８は補助具本体１１の背面に一体化された基板部分２８ｂから伸び出して、ドア構造の凹部と係合するように曲折された係合部分２８ａを有し、基板部分２８ｂの四隅にはネジ通し孔２９が設けられている。従って、補助具本体１１、係合部材２８、アダプター２５−１は一体構造物の防犯補助具１０としてドアＤに取り付けられる。
【００２４】
本考案に係る防犯補助具１０を開き戸Ｄであるドアに、接着手段Ｇにより取り付けた状態を図３、図４に示す。図３では、保持片１８をドア枠に接着してあるので、キー１５は磁気１７にて保持される（しかし、保持片１８は開閉部材又は開閉部分の近くであれば、何処に置いても良い。）。キー操作によりロック片１３を突出させると、開口部分Ｆであるドア枠と係合状態になり、ドア錠が掛かっていなくても開き戸Ｄの開かれるのが防止される（図４Ａ）。
【００２５】
本考案では、キー１５を取り外して保持片１８に吸着保管できるようにすることで防犯上の有効性を得ており、また、キー１５は、例えば、ドアに取り付けた保持片１８に保持される。夜間に災害が発生し停電になった場合でも、保管したキー１５の摘み部１６が図４Ｂに示すように蓄光によって光り、キー穴構成部材１４も蓄光によって光るので、それぞれの在りかは明らかである。従って、キー１５やキー穴１４ａを探し出すのに手間取ることがない。
【００２６】
図５以下は、防犯補助具１０を引き戸Ｓに取り付けた本考案のガイド装置の例２を示している。例２のガイド装置も防犯補助具１０については例１と同じ構成のものが使われるので、同じ構成については例１で使用したのと同じ符号を用いる。なお、例２では蓄光性素材のプラスチック材料に対する割合を質量比で２０％に設定している。
【００２７】
引き戸Ｓに取り付ける場合、レールカバー３０と呼ばれる部材が戸枠端部の上分に設けられていることが多いので、その影響を回避する切欠き部３１を有するアダプター２５−２を用いる。アダプター２５−２は、補助具本体１１の背面に形成されている凹部３２と嵌合する凸部３３を正面側に有し、背面側には接着手段Ｇを有している。
【００２８】
また、例２ではロック片１２を係合させるロック穴３４を有するロックレール３５を一緒に用いる。ロックレール３５は引き戸Ｓの枠やガラス面等に接着手段Ｇにより固着し、ロック片１２を係合させるロック穴３４を任意に選択可能とすることで、引き戸Ｓを完全に閉じた位置だけでなく、換気のために僅かに開いた位置でもロックすることができる。
【００２９】
このように構成されている本考案の例２によれば、キー１５を取り外して保持片１８に吸着保管できる（図６Ａ）。キー１５は、夜間に災害が発生し停電になった場合でも、その摘み部１６が蓄光によって光り（図６Ｂ）、キー穴構成部材１４も蓄光によって光るので、それぞれの在りかは明らかである。なお、図６はレールカバー３０を有していない引き戸Ｓの例と考えて良い。
【００３０】
例１と例２では蓄光性素材のプラスチック材料に対する割合を質量比でそれぞれ１０％と２０％と変えており、例２の方の蓄光力が強い結果となる。なお、蓄光性素材の配合比については５％から３０％の範囲で実験を行なっており、製造上も蓄光性能も実施可能な範囲であることを確認している。また、どのような例でも、蓄光が弱まり、見えにくくなったときは懐中電灯等で光線を照射することで、キー１５やキー穴１４ａをより明瞭に光らせることができる。
【図面の簡単な説明】
【００３１】
【図１】本考案に係る防犯補助具におけるキー操作のガイド装置の例を示す分解斜視図である。
【図２】同上の装置における防犯補助具の一例を示す内部機構の説明図である。
【図３】同上の例１の装置における開き戸への取り付け状態を示す斜視図である。
【図４】同じく使用状態を示すもので、Ａはロック状態、Ｂは暗闇で残光によりキーとキー穴が光っている状態を示す部分斜視図である。
【図５】同上の例２の装置における引き戸への取り付け状態を示す斜視図である。
【図６】同じく使用状態を示すもので、Ａはロック状態、Ｂは暗闇で残光によりキーとキー穴が光っている状態を示す部分斜視図である。
【符号の説明】
【００３２】
１０  防犯補助具
１１  補助具本体
１２、１３  ロック片
１４  キー穴構成部材
１５  キー
１６  摘み部
１７  磁石
１８  保持片
１９、２１  開口
２０  ロック部材
２２  係合孔
２３  揺動部材
２４  位置決めばね
２５−１、２５−２  アダプター
２６  ネジ
２７  ネジ穴
２８  係合部材
２９  ネジ通し孔
３０  レールカバー
３１  切欠き部
３２  凹部
３３  凸部
３４  ロック穴
３５  ロックレール
Ｄ  開き戸、Ｆ  開口部分、Ｇ  接着手段、Ｓ  引き戸
【図１】
0003190543.tif 000003
【図２】
0003190543.tif 000004
【図３】
0003190543.tif 000005
【図４】
0003190543.tif 000006
【図５】
0003190543.tif 000007
【図６】
0003190543.tif 000008